(57)【特許請求の範囲】
【請求項１】
−甲革アセンブリィ（１１）、
−前記甲革アセンブリィ（１１）に結合され、接地面（１４）を有し、かつ、水蒸気透過性の少なくとも１つの領域（１５）を有する、防水性材料で作られた本体（１３）を備える靴底（１２）、
−前記少なくとも１つの領域（１５）を靴（１０，１００，１００ａ，２００）の内部の方へ覆う、少なくとも１つの防水性で蒸気透過性の膜（１６）、
−前記少なくとも１つの膜（１６）の下面（１６ａ）を少なくとも部分的に覆う少なくとも１つの保護要素（１７）、
を備え、防水性で蒸気透過性であり前記少なくとも１つの領域（１５）を覆い、前記領域と前記少なくとも１つの保護要素（１７）との間に実質的に介在する少なくとも１つの保護シールド（１８）をさらに備え、前記保護シールド（１８）は、前記少なくとも１つの領域（１５）の周辺の、前記本体（１３）の少なくとも１つの区域（１３ａ）において前記本体（１３）に防水方式で封止され、前記少なくとも１つの膜（１６）の周辺部（１６ｂ）が、前記本体（１３）に浸透不能に密封されることを特徴とする防水性で蒸気透過性靴底を有する蒸気透過性靴（１０，１００，１００ａ，２００）。
【請求項２】
前記少なくとも１つの保護シールド（１８）は、微小孔構造で、１μｍより小さい平均口径を有する小孔を備えることを特徴とする請求項１記載の靴。
【請求項３】
前記少なくとも１つの保護シールド（１８）は、実質的に均一な混合物から得られる材料で作られたシートを備え、その混合物は、
−混合物の体積百分率濃度が８％と９８％との間にある高分子量ポリオレフィン、
−混合物の体積百分率濃度が１％と９２％との間にあり、微小孔構造の形成を促進するようになっているフィラー、
−混合物の体積百分率濃度が１％と４０％との間にある可塑剤
から構成されることを特徴とする請求項１又は２記載の靴。
【請求項４】
前記ポリオレフィンが、UHMWポリエチレン（UHMWは超高分子量を意味する）であることを特徴とする請求項３記載の靴。
【請求項５】
前記フィラーが、二酸化珪素と珪酸から選択され前記可塑剤が水不溶性オイルであることを特徴とする請求項３又は４に記載の靴。
【請求項６】
前記少なくとも１つの保護シールド（１８）が、ポリテトラフルオロエチレン、ポリウレタン、ポリエステル、ポリプロピレン、ポリエチレンなどの間から選択された材料で作られることを特徴とする請求項１記載の靴。
【請求項７】
前記少なくとも１つの保護シールド（１８）が、
−実質的に０．１と０．５ｍｍの間にある厚さを有する単一の一体層によって構成された構造、
−厚さが実質的に０．１〜５．０ｍｍの間にある多層要素を形成するために貼り合わせによって結合された複数の層によって構成された構造、
−複数の貼り合わせ層によって構成され、透過性材料がそれらの間に設けられてそれらの結合されている構造、
の中から選択された構造を有することを特徴とする請求項６記載の靴。
【請求項８】
前記少なくとも１つの保護シールド（１８）は、前記少なくとも１つの領域（１５）の周辺である、前記本体（１３）の前記少なくとも１つの区域（１３ａ）において、接着接合により、前記本体（１３）に透過不能に封止されることを特徴とする請求項１〜７のいずれか１つに記載の靴。
【請求項９】
前記本体（１３）の少なくとも１つの構成要素は、前記少なくとも１つの保護シールド（１８）上で共通成形され、それにかみ合うと共に、前記少なくとも１つの領域（１５）の周辺である、前記本体（１３）の前記少なくとも１つの領域（１３ａ）において防水性の密封を形成することを特徴とする請求項１〜７のいずれか１つに記載の靴。
【請求項１０】
前記膜（１６）上に少なくとも部分的に重ねられてそれを保護する透過性スペーサ（２０）を備えることを特徴とする請求項１〜９のいずれか１つに記載の靴。
【請求項１１】
本体（１３）の下部（２１）および上部（２２）を備え、前記少なくとも１つの保護シールド（１８）は、前記少なくとも１つの領域（１５）の周辺である前記少なくとも１つの区域（１３ａ）を有する前記下部（２１）に封止されてなる請求項１〜１０のいずれか１つに記載の靴。
【請求項１２】
前記保護シールド（１８）は、前記保護要素（１７）と前記膜（１６）とによって露出された周囲バンド（１８ａ）を有し、前記保護シールド（１８）は前記周囲バンド（１８ａ）において前記上部（２２）と結合し防水性の密封を施すことを特徴とする請求項１１記載の靴。
【請求項１３】
前記上部（２２）は、貫通開口か、又は前記領域（１５）の一部を形成する孔を有することを特徴とする請求項１１又は１２記載の靴。
【請求項１４】
甲革アセンブリィ（１１）が少なくとも１つの外側蒸気透過性甲革（２３）、蒸気透過性内張り（２４）と、前記膜（１６）を有する蒸気透過性中敷（２５）とを備え、前記少なくとも１つの甲革（２３）の下方フラップと少なくとも１つの内張り（２４）の下方フラップとが前記中敷（２５）に結合され、
前記本体（１３）が、
−前記少なくとも１つの膜（１６）の前記周辺部（１６ｂ）と下方領域で接続されると共に、
−水蒸気透過性の前記領域（１５）の周辺である前記区域（１３ａ）で前記少なくとも１つの保護シールド（１８）と接続されて防水性密封を行う
ことを特徴とする請求項１〜１３のいずれか１つに記載の靴。
【発明の詳細な説明】
【技術分野】
【０００１】
この発明は、防水性で蒸気透過性の靴底を有する蒸気透過性靴に関する。
【背景技術】
【０００２】
知られているように、最大の発汗作用を有する足の部分は、足底である。
【０００３】
従って、発汗によって生じる水分が最も多く集まる領域は、足底と靴底との間の界面である。
【０００４】
そこで、発生した汗は空気を湿気で飽和してほとんどが液化し、足底の挿入物に沈滞する。
【０００５】
発汗によって生じたほんのわずかの量の水分が甲革の側面に広がり、側面が蒸気透過性であればそこから出て行く。
【０００６】
足底の領域における汗のそのような沈滞作用は、特にゴム底靴において顕著であり、その場合には、靴底を介しての蒸気の透過が、実際、その全体的な不浸透性によって妨げられる。
【０００７】
知られているように、足底領域における汗の沈滞は、靴の使用者に不愉快な感じを与え、また、悪臭の源として知られる、バクテリアの培養を増大させるのに恵まれた場所を形成する。
【０００８】
従って、靴の足底領域における発汗から水分の沈滞を防ぐことが必要であると、一般的に感じられている。
【０００９】
この必要性に応えることをめざした最初の試みは、欧州特許第0382904号に開示された解決策を含む。
【００１０】
その特許に含まれる教示は、ゴム底を２つの層に分けて下の層が微小貫通孔を有することと、水の浸入を避けて液状の水に対して不浸透性で水蒸気に対して透過性である靴底を得るために２つの層の周辺に結合される半透過性の膜をそこに介在させることにある。
【００１１】
単純化のために、以下では、液状の水に対して不浸透性で水蒸気に対して透過性の特性を有する要素は、防水性で蒸気透過性という。
【００１２】
欧州特許第0382904号が使用することを教示する半透過性膜は、例えば、エル．ゴアの米国特許第4,187,390号および同4,194,041号又はビー・エイチ・エー・テクノロジィの米国特許第6,228,477号に開示されたタイプのものである。
【００１３】
そのような膜は、ほぼ１９ミクロンから７０ミクロンまで変化する厚さを有する発泡ポリテトラフルオロエチレン、e-PTFEから作られ、防水性で蒸気透過性である薄いフィルムによって提供される。
【００１４】
それらの微細構造は、フィブリルとして知られる延伸フィラメントによって相互連絡されたノードと呼ばれる高密度部分の存在によって特徴付けられる。
【００１５】
最初に軍隊の分野で考案されたこれらの半透過性膜は、衣類の品目において発汗からの蒸気の蓄積を避けるため、および防水性で蒸気透過性の内張り付きの甲革を有する靴を提供するために衣類と履き物の分野で発達し、使用されてきた。
【００１６】
衣類や履き物の分野の市場は、常に柔軟で快適な品目を要求してきたので、上記の用途においては、機能的な層として意図されたそのような膜が、その特性を弱めないことを保証する強い要求がある。
【００１７】
この要求は、可撓性、折りたたみ容易性、柔軟性、表面潤滑性、圧縮性、伸張性および単位表面当たりの軽重量という重要な特性を有する仕上げ積層要素を得るように、布地やなめし革のような支持および／又は美的仕上げ材料で積層されるために薄い膜の使用を伴った真の技術的予想に示されてきた。
【００１８】
しかしながら、そのような膜を提供するフィルムは、実際、その薄さのために機械的強度の特性が劣る。
【００１９】
実際、注目すべきことであるが、層状組織の強度値は、その膜が組合わされる布地層や支持層の特性から主に引き出される。
【００２０】
特に、上記のような膜を提供するために用いられる高分子材料から作られた利用可能なフィルムは、一般的に１９と７０ミクロンの間の厚さを有し、小さい貫通抵抗、即ち５Ｎより小さい貫通抵抗を備える。
【００２１】
「貫通抵抗」という表現は、履き物の安全性に関するISO20344-2004標準、5.8.2章「靴底の貫通抵抗の測定」に示される方法により実施される測定により定義される特性を示す。
【００２２】
この小さい機械的貫通強度は、欧州特許第0382904号の発明者に、膜が対面する靴底の孔の直径を制限することによって膜の異物との接触を防止させた。
【００２３】
しかしながら、この解決策は、蒸気の透過に割り当てられる靴底の面積を制限することを教えた。
【００２４】
同じ出願人による欧州特許第858,270号に開示された教示は、これらの欠点を克服することを目標とする解決策を開示するが、改善される点がないほど完全なものではない。
【００２５】
前記特許は、孔あきエラストマーから作られ、好ましくはフェルトで作られ水を通さないように処理された下保護層に重ねられた防水性で蒸気透過性の膜を有する下底を備える靴底を有する靴を開示する。
【００２６】
その保護層は防水性材料から作られていないので、靴底に下底の直接密封を与えることはできないが、防水性で蒸気透過性の膜と靴底との間に封止ブリッジを設ける防水性周辺要素が使用される。
【００２７】
上述のように、この発明は、異物の貫通に対して膜を効果的に保護するが、改善できるいくつかの側面を有する。
【００２８】
特に、保護要素は、その防水特性を漸次失うので、接地面の孔から吸収した水および／又は泥や他のタイプの汚物によって飽和する傾向があり、靴底の通気性を弱め、さらに、靴に悪臭をもたらすかびやバクテリアのような微生物の増殖に適した環境を造る。
【００２９】
他の欠点は、使用中に下底が受ける周期的な曲げや引っぱりが、歩く間に膜を漸次摩耗させ引き裂く傾向があり、靴底に防水性を失わせるという点にある。
【００３０】
さらなる解決策が、ラウチ・マックスの米国特許第6508015号に提案され、その特許は２つの重ね合わせた層を有する靴底構造を開示し、その最も高い部分は、靴の上部に向かって設計されて、弾性があり、水蒸気を透過することができる。
【００３１】
下層は、上層の７０％以下を覆い、それを支持する機能を有し、接地面を備える。
【００３２】
上層は、例えば焼結プラスチックス又は不織布から造られ、微孔性構造を有し、いずれの場合も防水性ではない。
【００３３】
この解決策の欠点は、靴の使用中に、微孔性上層が下層によって広く露出され、上層が水に接触したときに水で飽和する傾向があり、水を吸収し、水を保持して時と共に水を放出し、歩行面をよごす点にある。
【００３４】
さらに、上層は吸収した水に接触して分解する傾向がある。
【００３５】
靴底の防水性を得るために、そのような特許は、その上層を処理してそれを防水性にするか、又は防水性で蒸気透過性の膜でその上を覆うことを開示している。
【００３６】
しかしながら、疎水性処理は寿命が短く、靴底にその防水性を失わせるので、上層の上に蒸気透過性を防水性膜を適用することは、実際、すでに述べたものになぞらえることができる構造を再現し、膜が１つ以上の保護層によって支持されるので、蒸気透過性の定量的な状況において、同じ欠点と制限に再び直面する。
【００３７】
発明の開示
この発明の目標は、特に、使用中に靴底が接触する水の保持や解放を防止させることと、同時に効率的で耐久性のある蒸気透過性と防水性を有することによって、現在知られている靴や靴底の限界を克服することができる防水性で蒸気透過性の靴底を有する蒸気透過性靴を提供することである。
【００３８】
この目標の範囲内で、この発明の目的は、例えば小石、特にそれがとがったものなどのような、使用中に靴底を貫通する傾向のある異物によって生じる損傷に対して、現在知られている製品よりも大きい抵抗を有する防水性で蒸気透過性の靴底を有する蒸気透過性の靴を考案することである。
【００３９】
この発明の他の目的は、現在知られている製品よりも防水性と蒸気透過性が耐久性を有する防水性で蒸気透過性の靴底を有する蒸気透過性靴を提供することである。
【００４０】
この目標およびこれらの目的や他の目的は、以下においてより明白になるが、
−甲革アセンブリィ、
−前記甲革アセンブリィに結合され、接地面を有し、かつ、水蒸気透過性の少なくとも１つの領域を有する、防水性材料で作られた本体を備える靴底、
−前記少なくとも１つの領域を靴の内部の方へ覆う、少なくとも１つの防水性で蒸気透過性の膜、
−前記少なくとも１つの膜の下面を少なくとも部分的に覆う少なくとも１つの保護要素、
を備え、防水性で蒸気透過性であり前記少なくとも１つの領域を覆い、前記領域と前記少なくとも１つの保護要素との間に実質的に介在する少なくとも１つの保護シールドをさらに備え、前記保護シールドは、前記少なくとも１つの領域の周辺の、前記本体の少なくとも１つの区域において前記本体に防水方式で封止されることを特徴とする防水性で蒸気透過性靴底を有する蒸気透過性靴によって達成される。
【００４１】
この発明のさらなる特性および利点は、添付図の非限定実施例によって示された、この発明による防水性で蒸気透過性の靴底の好ましいが排他的でない実施形態の説明から、より明らかになるであろう。
【図面の簡単な説明】
【００４２】
【図１】図１は、第１実施形態における、この発明による蒸気透過性靴底の横断面図である。
【図２】図２は、第２実施形態における、この発明による蒸気透過性靴底の横断面図である。
【図３】図３は、第２実施形態の変形における、この発明による蒸気透過性靴底の横断面図である。
【図４】図３は、第３実施形態における、この発明による蒸気透過性靴底の横断面図である。
【００４３】
この発明の実施方法
図を参照すると、防水性で蒸気透過性の靴底を有する蒸気透過性の靴が、第１実施形態において、参照番号１０によって全体的に示され、その靴は、
−甲革アセンブリィ１１、
−甲革アセンブリィ１１に結合され、接地面１４を有し、かつ、水蒸気透過性の少なくとも１つの領域１５を有する、防水性材料から造られた本体１３を備えた靴底１２、
−靴１０の内側に向かって領域１５を覆う防水性・蒸気透過性膜１６、
−膜１６の下面１６ａを覆う保護要素１７、
を備える。
【００４４】
この発明によれば、靴１０は、さらに保護シールド１８を備え、保護シールド１８は防水性で蒸気透過性であって領域１５を覆い、その領域と保護要素１７との間に実質的に介在し、保護シールド１８は領域１５の周辺にある本体１３の区域１３ａにおいて本体１３に防水方式で密封されるという、好ましくは以下に述べる特色を有する。
【００４５】
接地面１４は、使用時に地面に接触する、本体１３の下面であれば好都合であるが、この発明の他の実施形態の均等な様式において、それは前記本体１３から分離して下方領域で本体１３と結合する要素であることが可能である。
【００４６】
領域１５は本体１３を貫通する複数の孔１５ａによって形成されると、好都合である。
【００４７】
この発明の他の実施形態における実質的に均等な様式において、前記領域は、少なくとも１つの広い開口により形成可能であり、前記保護シールドを補強して支持するための構造的要素が、例えば格子を形成するために設けられる。
【００４８】
この発明による蒸気透過性靴の異なる実施形態における、不測の要求によると、その靴は、水蒸気を透過可能で、少なくとも１つの防水性で蒸気透過性の膜によって覆われ、その下に少なくとも１つの保護要素が設けられた少なくとも１つの領域を全体的に有し、前記保護シールドの少なくとも１つがさらに前記少なくとも１つの領域に設けられた靴底を備える。
【００４９】
保護シールド１８が微小孔構造で、１μｍより小さい平均口径の小孔を有し、好ましくは前記小孔は０．５μｍより小さい平均口径を有し、特に前記小孔の少なくとも５０％が０．５μｍより小さい平均口径を有すると、好都合である。
【００５０】
保護シールド１８は、実質的に均一な混合物から得られる材料で作られたシートによって構成されると好都合であり、その混合物は、
−前記混合物の体積百分率濃度が８％と９８％の間にある、高分子量ポリオレフィン、
−前記混合物の体積百分率濃度が１％と９２％との間にあり、微小孔構造の形成を促進するように構成されたフィラー、
−前記混合物の体積百分率濃度が１％と４０％との間にある可塑剤、
から構成される。
【００５１】
前記ポリオレフィンはUHMWポリエチレン（UHMWつまり超高分子量）であれば好ましく、前記フィラーが二酸化珪素と珪酸から選択されると好都合であり、前記可塑剤は水不溶性オイル、好ましくはガソリンである。
【００５２】
変形としては、保護シールド１８は、発泡ポリテトラフルオロエチレン、e-PTFE、ポリウレタン、PU、ポリエステル、PES、ポリプロピレン、PP、ポリエチレン、PEなどから選択された材料で作られると好都合である。
【００５３】
好ましくは、保護シールド１８は、
−実質的に０．１と５ｍｍの間の厚さを有し、好ましくは押出された、単一の一体層によって構成された構造、
−貼り合わせによって結合された複数の層により構成され、厚さが実質的に０．１と５ｍｍの間にある多層要素を構成する構造、
−複数の貼り合わせ層によって構成され、透過性材料がそれらの間に設けられてそれらに結合されている構造、
の中から選択された構造を有する。
【００５４】
保護要素１７は、耐加水分解性で蒸気透過性であり、フェルトや不織布などの中から選択され、撥水処理され、実質的に０．５ｍｍと５ｍｍの間の厚さの材料から作られると、好都合である。
【００５５】
膜１６は、たとえば、発泡ポリテトラフルオロエチレン、e-PTFE、ポリウレタン、PUなどで作られた一般的に市販されている蒸気透過性で防水性膜のタイプのものであれば好都合であり、それを補強する少なくとも１つの網（mesh）がそこに結合されると好都合である。
【００５６】
さらに、要素１９が膜１６の周辺部１６ｂを本体１３に封止するために設けられ、その横方向に隣接するエッジを橋のように都合よく接続し、それらを互いに封止すると好都合である。
【００５７】
非限定の実施例により、封止要素１９が本体１３に膜１６の周辺部１６ｂの防水封止を施す部分が、参照文字Ａで示される一点鎖線の線分によって、図１に示されている。
【００５８】
封止要素１９は、防水性の高分子材料で都合よく作られ、膜１６の周辺部１６ｂと本体１３に、好ましくはポリウレタンタイプの耐加水分解性で効果的な封止を保証することができる接着剤層により気密的に接着する。
【００５９】
封止要素１９が作られる防水性の高分子材料が、ポリビニル塩化物、PVC又は熱可塑性ポリウレタン、TPUなどであると好都合である。
【００６０】
異なるおよび実質的に均等な実施形態において、封止要素が、熱および圧力により活性化できるポリウレタン又はポリエステル又はポリオレフィンから作られたホットメルト熱可塑性接着剤のフィルムであると好都合である。
【００６１】
前記封止要素を提供するのに特に適したフィルムは、プロダクトコード3218を有するベミス・アソシエイツ・インコーポレイテッド社又はプロダクトコードXAF36.004（Puro）を有するコラノ・エージー・ジーロ接着フィルム社により市販されている。
【００６２】
さらに、封止要素の実施形態のさらなる他の方法においては、実質的に均等な様式で、その封止要素は靴底の本体を構成する材料によって与えられ、膜の周辺領域に防水封止を形成するように結合される。
【００６３】
保護シールド１８と本体１３が領域１５の周辺である区域１３ａに都合よく防水密封を形成するように接続されると好都合である。
【００６４】
前記防水密封接続は、接着結合又は高周波溶接によって施されることが好ましい。
【００６５】
この発明の実施形態の偶発的な要求による変形として、前記密封接続は、製造工程において、型（mold）に射出される本体１３用の材料の保護シールドにかみ合うことによって提供されると好都合である。
【００６６】
特に、この場合には、前記密封接続は、本体１３又は例えば、それが下の部分つまり下底によって形成されるときにはその構成要素を形成する材料を保護シールド１８上に共通成形することによって得られる。
【００６７】
実際、このように、本体１３又はその構成要素を形成する材料は、保護シールド１８をつかみ、水蒸気透過性の領域１５の周辺である、本体１３の区域１３ａに都合よく防水密封を形成する。
【００６８】
添付図における非限定実施例により、前記密封接続は、参照文字Ｂによって示される一点鎖線によって例示されている。
【００６９】
輪郭が図１〜３の破線によって概略的に示された、この発明の作動要求による甲革アセンブリィ１１は少なくとも、
−外側の蒸気透過性甲革、
−内部の蒸気透過性内張り、および
−蒸気透過性中敷を備え、
その中敷に甲革と内張りの下方フラップが公知の方法、例えば、釣り込み構造又は例えばストローベルタイプの縫製により結合されると、好都合である。
【００７０】
図１，２および３において、甲革アセンブリィ１１は破線で概略的に示されているが、甲革、内張りおよび中敷は示されていない。というのは、それらが公知の要素であり、その構造が、この発明の実施の偶発的な要求に一致する方法で公知のものから都合よく選択されるからである。
【００７１】
好ましくは、膜１６の上面１６ｃを覆うスペーサ２０が設けられる。
【００７２】
スペーサ２０の主目的は、膜１６と中敷との間に介在して、中敷の起こり得る研磨動作に対して膜１６を保護することである。
【００７３】
スペーサ２０は、蒸気透過性又は孔あき材料、例えば、フェルト又は布又は高分子材料又はセルローズ材料から作られると、好都合である。
【００７４】
図２の非限定実施例によって示されるこの発明による靴の第２実施形態において、靴は参照番号１００で示され、これまで述べたものに対応する要素は同じ参照番号で示され、本体１３は都合よく、下部２１と、上部２２と、下部２１に封止された保護シールド１８とを備え、区域１３ａが領域１５の周辺である。
【００７５】
上部２２は、膜１６の周辺部１６ｂに防水シールを施すように結合される。
【００７６】
参照文字Ｃによって示された一点鎖線の線分により、図２と３の非限定実施例によって示された前記防水封止接合部は、好ましくは、接着によって提供されるか、又は、この発明の実施の偶発的要求による変形として、好都合なことに、靴底１３を形成する工程の間に、型の中へ射出される、上部２２を提供するための材料の膜１６の周辺部１６ｂにかみ合うことによって提供される。
【００７７】
とくに、この場合、前記封止接続は、上部２２を形成する材料を、周辺部１６ｂ上に共通モールドすることによって得られる。
【００７８】
特に、靴底１００はスペーサ２０を備えることが好ましく、そのスペーサ２０は、水蒸気透過性で膜１６上に重ねられ、それを覆って、靴底１０の使用中に中敷がそれに与える研磨動作に対してそれを保護する。
【００７９】
スペーサ２０は、蒸気透過性又は孔あき材料、例えば、フェルト又は布又はプラスチックス又はセルローズ材料から作られると好都合である。
【００８０】
もし、上部２２が共通成形によって与えられると、好都合なことに、スペーサ２０もまた、モールドにおける射出期間において上部２２を提供する材料の、膜１６の方への通過の障壁として作用する。
【００８１】
添付図に示されていないが他の構造的変形として、スペーサは、孔又は貫通開口を有して水蒸気を透過でき、靴底の前記本体の水蒸気透過性の前記領域の一部を形成する、前記上部の中央部によって置換される。
【００８２】
前記他の変形において、靴底本体の下部は、靴底本体の上部によって完全に覆われている。
【００８３】
特に、図３を参照すると、前記第２実施形態の変形における、参照番号１００ａによって示されるこの発明による靴では、都合のよいことに、保護シールドは、保護要素１７により、そして下側領域でそれが覆う膜１６により露出される周囲バンド１８ａを有する。
【００８４】
前記周囲バンド１８ａにおいて、保護シールド１８は、靴底１２の本体１３の上部２２に結合され、防水密封を与える。
【００８５】
前記防水密封結合は、図３に参照文字Ｄによって示される一点鎖線の線分によって非限定実施例によって例示され、都合よく接着によって提供されるか、又は共通成形による上部２２の形成時に上部２２を提供するために型内へ射出される材料の周囲バンド１８ａにかみ合うことによって提供される。
【００８６】
図４の非限定実施例によって例示される、この発明による防水性で蒸気透過性の靴底を有する蒸気透過性靴の第３実施形態において、その靴は参照番号２００によって全体的に示され、これまで述べられたものに対応する要素は同じ参照番号で示され、甲革アセンブリィ１１は、都合のよいことに、蒸気透過性外甲革２３と、蒸気透過性内張り２４と、蒸気透過性中敷２５とを備える。
【００８７】
一般的に、偶発的な要求によれば、甲革アセンブリィは、少なくとも１つの甲革、１つの内張り、および蒸気透過性の１つの中敷を備えると、好都合である。
【００８８】
膜１６は、都合よく中敷２５の下部層を構成するか、又は実質的に均等な方法で中敷２５の層に結合されると好都合である。
【００８９】
甲革２３および内張り２４の下方フラップは、好ましくは縫合シームによって中敷２５に結合されると、好都合である。
【００９０】
この場合、膜１６の周辺部１６ｂと靴底１２の本体１３とは、本体１３を提供する材料により、又は本体１３が甲革アセンブリィ１１上に共通成形により形成されるときに周辺部１６ｂに防水密封を施すようにかみ合うその構成要素により、都合よく防水密封を施すように接続される。
【００９１】
変形として、膜１６の周辺部１６ｂと、靴底１２の本体１３とは、膜１６を靴底１２の本体１３又は下底のようなその構成要素に接着することによって都合よく防水密封を施すように接続される。
【００９２】
さらに、保護シールド１８と本体１３とは、水蒸気透過性の領域１５の周辺である区域１３ａにおいて防水密封を施すように都合よく接続される。
【００９３】
膜１６と、靴底１２の本体１３との間の封止接続は、参照文字Ｅによって示される一点鎖線の線分により図４の非限定実施例によって例示されている。
【００９４】
従って、保護シールド１８と、靴底の本体１３との間の封止接続は、今までに説明したものと同様に、参照文字Ｂによって示される一点鎖線の線分により、図４の非限定実施例によって例示されている。
【００９５】
都合のよいことに、本体１３の保護シールド１８への防水封止接続は、本体１３の膜１６への封止接続を引用してすでに説明したように、本体１３を構成する材料を接着又は共通成形することにより行われる。
【００９６】
実際、見出されたことであるが、水に対して非透過性であり靴底の本体に封止されることにより、水が蒸気透過性の膜の保護要素に到達することを防止する保護シールドの存在のおかげで、現在知られている靴および靴底の欠陥を克服することができる、とくに使用時に靴底が接触する水の保持と放出を防止することができる、防水性で蒸気透過性の靴底を有する蒸気透過性靴を提供することにより、本願発明は意図された目標と目的を達成する。
【００９７】
さらに、この発明による防水性で蒸気透過性の靴底を有する蒸気透過性の底は、現在知られている製品よりも、使用中に例えば鋭い小石などのような靴底を貫通しがちである異物によってもたらされる損傷に対して大きな抵抗を有し、保護シールドが貫通されたとしても保護要素によって保護される膜は、靴底の防水性と蒸気透過性を維持する。
【００９８】
この発明による防水性で蒸気透過性の靴底を有する靴はまた、靴底の防水性を協働して保護し、さらに蒸気透過性を有する膜と保護シールドとの協力のおかげで、現在知られている製品よりも耐久力のある防水性と蒸気透過性を有する。
【００９９】
このように考案された発明は、多くの変更や変形が可能であるが、そのすべては添付の特許請求の範囲内にあり、すべての詳細は、他の技術的均等要素と置換できる。
【０１００】
実際、使用される材料は、それらが特定の使用と互換性がある限り、偶発的な形状や寸法と同様に、技術の要求と状態によるものである。
【０１０１】
この出願の優先権主張の基になるイタリア国特許出願第PD2010A000286号は引用によってここに組込まれる。
【０１０２】
特許請求の範囲に述べられる技術的特徴に参照記号が付けられる場合、それらの参照記号は特許請求の範囲の理解可能性を増大する目的のみのために含まれるので、そのような参照記号は、そのような参照記号により実施例で特定される各要素の解釈上の効果を限定するものではない。
【図１】
0005957455.tif 000002
【図２】
0005957455.tif 000003
【図３】
0005957455.tif 000004
【図４】
0005957455.tif 000005